(57)【特許請求の範囲】
【請求項１】
ピストンの押し下げにより液を吸引しこれに空気を混合して泡を発生させ、該泡を中空ピストン軸の孔を通して吐出させるポンプ式泡発生機構を容器本体に装着した泡吐出容器において、前記ポンプ式泡発生機構の中空ピストン軸の上部外周に、ピストンを押し下げるための指掛けハンドルを取り付け、吐出させた泡を貯留するための泡受け皿を、前記指掛けハンドルよりも上方で容器本体上に支持させると共に、前記中空ピストン軸の指掛けハンドルの上方に中空摺動管を一体的に取り付け、一方、前記泡受け皿の中心孔に泡吐出口を有するノズルを下方に延びるように取り付けて、このノズルの中心孔に前記中空摺動管を摺動自在に嵌合させたことを特徴とする泡吐出容器。
【請求項２】
前記泡受け皿に残留し消泡して生じた液を容器本体内に流下により戻すための流路を、前記泡受け皿の底部と容器本体との間に設置したことを特徴とする請求項１に記載の泡吐出容器。
【発明の詳細な説明】
【０００１】
【発明の属する技術分野】
本発明は、ポンプ式泡発生機構を発泡液を充填した容器本体に装着し、ポンプ式泡発生機構のピストンの押し下げにより泡を吐出する泡吐出容器に関するものである。
【０００２】
【従来の技術】
ポンプ式泡吐出容器は、洗剤、シャンプー、化粧液等を円筒状の容器本体内に充填し、この容器本体の口部にポンプ式泡発生機構をキャップで取付け、そのポンプのピストン軸の頭部を指先で押し下げることにより、充填液を吸い上げると共にこの液に圧縮した空気を混合させ、発生した泡をピストン軸の中心に形成した通孔を通して頭部から側方に吐出するようにしたもので、圧縮ガスを使用しないですむことから、各種の泡吐出容器として多く使用されている。
【０００３】
実公平６−２４３９４号公報の第１図及び第４図には、ポンプ式泡発生機構のピストン軸の頭部に、頂部に指掛け部を形成すると共に内部に横方向斜め下方の泡通孔を形成したノズルを装着した泡注出装置が記載されている。また、実開昭５８−１４９３７２号公報には、容器本体に装着したポンプのピストン軸に、ノズルの吐出口より下方に位置させてピストン軸の両側に張出す指掛け部を設けたデイスペンサーが記載されている。
上記のような泡吐出容器に、例えば、台所用洗剤を充填した容器の一般的な使用方法は、泡吐出容器のノズル又は指掛け部に一方の手の指を掛けてピストン軸を押し下げ、ノズル先端から斜め下方に吐出される泡を他方の手に持ったスポンジで受け、次いで洗剤泡の付着したスポンジで両手を用いて皿等を洗うことになる。
【０００４】
【発明が解決しようとする課題】
上記のポンプ式泡吐出容器を用いて多量の皿洗いを継続するときには、途中でスポンジに洗剤の泡を補充する必要があり、その際には片手に持った皿を放し、前記のように両手を使って、泡吐出容器からスポンジに洗剤の泡を補充しなければならず、手間が掛かる。また、上記のポンプ式泡吐出容器は、そのピストン軸の１回の押し下げにより吐出される泡の量が少量であるが、ピストン軸の押し下げを繰返し、吐出した泡を別に用意した皿等に予め溜めておき、必要なときにこの泡をスポンジに付着させることにより、皿洗い等を能率的に継続することも可能である。しかし、流し台に泡貯留用の皿を置くための手近なスペースを確保する必要がある。
【０００５】
本発明は、前記の課題を解決し、ポンプ式泡吐出容器を用いて多量の皿洗い等を継続するときに能率よく作業が継続できるポンプ式泡吐出容器を提供することを目的とするものである。
【０００６】
【課題を解決するための手段】
本発明は、ピストンの押し下げにより液を吸引しこれに空気を混合して泡を発生させ、該泡を中空ピストン軸の孔を通して吐出させるポンプ式泡発生機構を容器本体に装着した泡吐出容器において、前記ポンプ式泡発生機構の中空ピストン軸の上部外周に、ピストンを押し下げるための指掛けハンドルを取り付け、吐出させた泡を貯留するための泡受け皿を、前記指掛けハンドルよりも上方で容器本体上に支持させると共に、前記中空ピストン軸の指掛けハンドルの上方に中空摺動管を一体的に取り付け、一方、前記泡受け皿の中心孔に泡吐出口を有するノズルを下方に延びるように取り付けて、このノズルの中心孔に前記中空摺動管を摺動自在に嵌合させたことを特徴とするものである。
そのような本発明の泡吐出容器によれば、泡を継続して使用するときに、予め所望量の泡を泡受け皿に溜めておくことにより、能率的に作業を継続することができる。しかも、中空ピストン軸の外周に指掛けハンドルを取り付けると共に、泡受け皿を前記指掛けハンドルよりも上方で容器本体上に支持させていることにより、泡吐出操作が安定して行え、泡の掬い上げも容易となる。
なお、泡受け皿に残留し消泡して生じた液を容器本体内に流下により戻すための流路を、泡受け皿の底部と容器本体との間に設置した場合には、余分に吐出させた泡を自動的に容器本体内に戻すことができる。
【０００７】
【発明の実施の形態】
図１及び図２は、本発明に関連する泡吐出容器の一比較例を示すものである。
泡吐出容器の外観を示す図１において、容器本体１の内部には、ポンプ式泡発生機構がベースキャップ４で取り付けられ、そのピストン軸９が中間キャップ１０で上下摺動可能に支持され、その上部に泡受け皿１５が取り付けられ、その中心上部にピストン軸９と同軸に押し棒１６が設けられている。押し棒１６を押し下げると、ピストン軸９が下降し、ポンプ機構で容器本体１内の洗剤等の充填液を吸い上げ、これと空気とを混合して泡を発生し、発生した泡はピストン軸９の中心孔を通り、上部に放射方向に設けた吐出口（図２に図示）から泡受け皿１５に吐出される。
【０００８】
このポンプ式泡吐出容器では、そのピストン軸９の１回の押し下げにより吐出される泡の量は少量であるが、ピストン軸９の押し下げを繰返し、泡受け皿１５に所望量の泡を予め溜めておき、必要なときに図示のように泡受け皿１５の泡ＡをスポンジＳに付着させ、皿洗い等を能率的に継続することができる。
【０００９】
そのような泡吐出容器の内部構造を示す図２において、大径のエアシリンダー２と小径の液シリンダー３とを一体的に形成し、これを容器本体１の口部にベースキャップ４で装着する。エアシリンダー２と液シリンダー３にはそれぞれエアピストン５、液ピストン６を摺動可能に嵌合し、液シリンダー３内に液ピストン６を押し上げるスプリング７を設け、またエアピストン５の内周と液ピストン６の外周との間にエア吸排弁８を設置する。エアピストン５の上部に中空のピストン軸９を一体に設け、中間キャップ１０でエアシリンダー２の上端部に取り付けて、上下摺動可能に支持する。
【００１０】
中空ピストン軸９の上端に、液ピストン６の中心孔にボール弁を介して連なる混合室１１を形成すると共に、その下流側に多孔体１２を設置した上部キャップ１３を一体的に形成する。上部キャップ１３には、その頭部の側方に泡吐出口１４を設け、その外周に泡受け皿１５、上端部に押し棒１４をそれぞれ嵌合して取り付ける。その際、泡吐出口１４が泡受け皿１５の表面から少し上方に開口するようにし、放射方向に多数設けるのが好適である。
【００１１】
上記のような比較例の泡吐出容器の泡発生作用については、前記実公平６−２４３９４号公報の第１図に示された従来のポンプ式泡吐出器と実質的に同じであるが、その概略を次に説明する。図２はポンプ式泡吐出容器の使用可能状態を示し、押し棒１６はスプリング７によって液ピストン６、エアピストン５、ピストン軸９、上部キャップ１３を介して上昇位置にある。押し棒１６を押し下げると、両ピストン５，６が下降し、液シリンダー３内の充填液がピストン６の中心孔を通り混合室１１に入る。一方エアシリンダー２内の空気がエアピストン５で圧縮されてエア吸排弁８を通り混合室１１に入って泡を生成し、この泡が多孔体１２を通過することで微細に均一化され、泡吐出口１４から泡受け皿１５に吐出される。
【００１２】
押し棒１６から手を放すと、スプリング７の復元力で両ピストン５，６が上昇する。この際、液ピストン６が液シリンダー３内に液を吸引し、エアシリンダー２内にはピストン軸９と中間キャップ１０との隙間、エアピストン５の端面の通孔及びエア吸排弁８を介して空気が吸引され、容器本体１の上部気室にはエアシリンダー２の側壁に設けた通孔から空気が補給されて図示の状態に戻る。
【００１３】
図３は、本発明に関連する泡吐出容器の他の比較例を示すものである。
図３において、図２と同じ符号を附した部分は図２と同じ構造であり、またポンプ式泡吐出器の基本的な作用は図２に説明したのと同じである。
この比較例では、ピストン軸９の上部に形成する上部キャップ１７の泡通路のみを図２のものと変え、泡通路を軸線方向真上に開口させ、これにノズル１９を嵌合してノズル１９の先端上方から、泡を斜め下方に吐出して泡受け皿１５に泡を貯留するようにしたものである。図２に示す押し棒に代えてノズル１９の頭部を押し下げることにより、同様に泡を吐出する。
【００１４】
図３の上部キャップ１７には、スカート状の張出し部１８を設けてその外周に環状突起が、その内周面に雌ネジが形成されており、その外周環状突起に泡受け皿１５の裏側中心部に形成した中空円筒２１の内周面を嵌合することにより、上部キャップ１７に泡受け皿１５が取り付けられる。上部キャップ１７には、上記のとおりノズル１９と泡受け皿１５とが嵌合により取り付けられるが、これらの部品は合成樹脂製であるので、少し強めに力を加えることにより容易に着脱できる。したがって、出荷時等においては、上部キャップ１７からノズル１９と泡受け皿１５とを取外した状態として梱包することができ、嵩を小さくできる。
【００１５】
また、中間キャップ１０の首部に雄ネジ２０が設けられ、上部キャップ１７のスカート状の張出し部１８の内周面にこれに螺合する雌ネジを形成してあるので、不使用時には上部キャップ１７を押し下げた状態で両ネジを螺合させ、嵩を低くできると共に、不要な泡の吐出を防止することができる。
【００１６】
図４及び図５は、本発明の泡吐出容器の一実施例を示すものである。
泡吐出容器の外観を示す図４において、容器本体３０の上部に泡受け皿３５が支柱３８で取り付けられ、ピストン軸には指掛けハンドル３４が設けてある。この泡吐出容器では、泡を吐出する際に図示のように指掛けハンドル３４でピストン軸を押し下げるので、泡受け皿３５は上下に動かず、泡吐出操作が安定すると共に、泡受け皿３５の上部には押し棒のような突出物がないので、泡受け皿に溜った泡Ａを掬い取るのも容易となる。
また後記するように、泡受け皿３５に余分の泡が残ったときに、これを容器本体３０に自動的に回収するようにしたので、資源の無駄を省き、環境への悪影響を回避できる。
【００１７】
そのような泡吐出容器の内部構造を示す図５において、容器本体３０には把っ手３１が設けられているが、これにベースキャップ４、中間キャップ１０で装着するポンプ式泡発生機構は図２に示したものと共通であるので、同じ部分の構造、作用の説明を省略し、相違する構造、作用の説明を重点的に行う。
エアピストンのピストン軸３３の上部外周に横方向に延びる指掛けハンドル３４を設け、その上方に中空摺動管３２を一体的に取り付ける。一方、容器本体３０の上部にベースキャップ４で泡受け皿３５がその支柱３８を介して取り付けられ、泡受け皿３５の中心孔に泡吐出口４１を有するノズル４０を取り付け、その中心孔にエアピストン軸３３の中空摺動管３２が嵌合される。
【００１８】
泡受け皿３５の内面中央部に凹部３６を形成し、ここに開口３９を形成して戻しチューブ３７を取り付け、戻しチューブ３７は支柱３８に設けた孔を通してその他端を容器本体３０の把っ手３１の上部に連結する。
【００１９】
指掛けハンドル３４の押し下げによりピストン軸３３が下がり、ポンプ作用で発生した泡は中空摺動管３２の孔を通りノズル４０の泡吐出口４１から泡受け皿３５に吐出される。この操作を繰返して泡受け皿３５に所望量の泡を貯留する。
泡受け皿３５の泡が余ったときには、暫く経つと泡が消えて液に戻る。この液は、泡受け皿３５の凹部３６に集まり、開口３９から戻しチューブ３７を経て容器本体３０内に自動的に回収される。
【００２０】
【発明の効果】
本発明は、容器本体の上部に付設した泡受け皿に所望量の泡を貯留できるので、連続して泡を使用するときに能率よく作業が継続できる。しかも、泡吐出操作を安定して行うことができて、泡の掬い上げも容易に行うことができる。
なお、泡受け皿の底部と容器本体との間に流路を設置した場合、貯留した泡が余ったときには、暫く経つと泡が消えて液に戻り、この液を自動的に容器本体に回収することができるので、資源の無駄を省き、環境への悪影響を避けることができる。
【図面の簡単な説明】
【図１】本発明に関連する泡吐出容器の一比較例を示す斜視図。
【図２】図１に示した泡吐出容器の内部構造を示す断面図。
【図３】本発明に関連する泡吐出容器の他の比較例を示す一部断面図。
【図４】本発明の泡吐出容器の一実施例を示す斜視図。
【図５】図４に示した泡吐出容器の内部構造を示す断面図。
【符号の説明】
１，３０：容器本体  ２：エアシリンダー  ３：液シリンダー  ４：ベースキャップ  ５：エアピストン  ６：液ピストン  ７：スプリング  ８：エア吸排弁  ９，３３：ピストン軸  １０：中間キャップ  １１：混合室  １２：多孔体  １３，１７：上部キャップ  １４，４１：泡吐出口  １５，３５：泡受け皿  １６：押し棒  ３２：中空摺動管  ３４：指掛けハンドル  ３７：戻しチューブ  ４０：ノズル ４１：泡吐出口  Ａ：泡  Ｓ：スポンジ
【図１】
0003617779.tif 000002
【図２】
0003617779.tif 000003
【図３】
0003617779.tif 000004
【図４】
0003617779.tif 000005
【図５】
0003617779.tif 000006